(57)【要約】老化の兆候に抵抗する化粧組成物及び該組成物と共に包装された試験デバイスを含む化粧品システムが提供される。該デバイスは、組成物の塗布継続期間にわたってモニターされる皮膚領域に生じる老化の兆候に対する抵抗の進行を評価する機構を含む。また、化粧組成物の効果を評価する方法が提供される。
2004535859.tif 000002
【特許請求の範囲】
【請求項１】
（ｉ）老化の兆候に抵抗する化粧組成物と
（ｉｉ）前記組成物と共に包装された試験デバイスとを含み、
前記デバイスは、皮膚のモニター領域に前記組成物を塗布した後のある期間にわたる老化の兆候に対する抵抗の進行を評価する手段を有することを特徴とする化粧品システム。
【請求項２】
前記老化の兆候が細い溝、しわ及びそれらの共存であることを特徴とする請求項１に記載のシステム。
【請求項３】
前記老化の兆候が皮膚のたるみ、老人斑、皮膚の引締めまたは緊張の喪失を含むことを特徴とする請求項１に記載の製品。
【請求項４】
前記試験デバイスが、水不溶性基板と該基板に付着させたポリマー層とから成り、皮膚のモニター領域に接して配置されたときに前記層が皮膚のトポグラフィーに順応することを特徴とする請求項１から３のいずれか一項に記載のシステム。
【請求項５】
前記ポリマー層が接着剤であることを特徴とする請求項４に記載のシステム。
【請求項６】
前記接着剤が、アクリレート、デンプン、ガム、ポリビニルアルコール及びそれらの混合物から成るグループから選択されたポリマーであることを特徴とする請求項１から５のいずれか一項に記載のシステム。
【請求項７】
前記試験デバイスが更に、ポリマー層を被覆して配置された保護カバー基板を有しており、皮膚のモニター領域にポリマー層を貼付する前に前記カバー基板が除去されることを特徴とする請求項４から６のいずれか一項に記載のシステム。
【請求項８】
前記試験デバイスが水不溶性基板とその上に付着させた造影層とから成り、前記層が表面の前処理、皮脂、水分、ｐＨ、温度及びトポグラフィーに選択的に感受性であることを特徴とする請求項１から７のいずれか一項に記載のシステム。
【請求項９】
細い溝またはしわの像が試験デバイスの１つの成分の上に形成されることを特徴とする請求項９に記載のシステム。
【請求項１０】
定着剤が像に作用することを特徴とする請求項９に記載のシステム。
【請求項１１】
定着剤が、ＵＶ光または天然光で開始される像形成成分の重合硬化から成るグループから選択されることを特徴とする請求項１０に記載のシステム。
【請求項１２】
前記試験デバイスが、セルロース材料、プラスチック材料またはそれらの混用材料のストリップから選択された材料を含み、前記ストリップが化粧組成物を収納している容器と共に包装箱内に配置されていることを特徴とする請求項１から１１のいずれか一項に記載のシステム。
【請求項１３】
前記試験デバイスが化粧組成物を収納している容器を保護的に包囲する包装箱のパネル部分として組み込まれていることを特徴とする請求項１から１２のいずれか一項に記載のシステム。
【請求項１４】
前記試験デバイスが化粧組成物を収納している容器を保護的に包囲する包装箱に着脱自在に結合されており、前記試験デバイスの結合が、ミシン目、箱壁の弱体化及び接着剤結合から成るグループから選択された手段を介して行われていることを特徴とする請求項１から１３のいずれか一項に記載のシステム。
【請求項１５】
老化防止化粧品の効果を評価するための方法であって、この方法は、
（Ａ）（ｉ）その片面に接着剤を備えた支持基板から成る試験テープと
（ｉｉ）定着剤のない場合よりも長い期間圧痕を維持する定着デバイスとを含み、
前記接着剤が皮膚からテープを剥がした後に細い溝及びしわの圧痕を維持するために十分な粘着性を有しているキットを準備する段階と、
（Ｂ）化粧品を皮膚に塗布する段階と、
（Ｃ）段階（Ｂ）の化粧品で処理した皮膚に試験テープの接着剤面を貼付する段階と、
（Ｄ）ストリップを剥がし、これに定着剤を接触させる段階と、
（Ｅ）もっと後の時期に段階（Ｃ）と（Ｄ）とを繰り返し、皮膚への初回及び次回の試験テープ貼付で得られたパターンを比較する段階と、を含む方法。
【発明の詳細な説明】
【技術分野】
【０００１】
本発明は、化粧組成物の効果を試験するために化粧組成物と共に包装された試験デバイスに組合わせた老化の兆候に抵抗するための化粧組成物及び方法に関する。
【背景技術】
【０００２】
一般人が自身の皮膚状態を自己診断するための検査用デバイスは多くの刊行物に開示されている。米国特許第３，５７１，９４７号（Ｍａｄｄｉｓｏｎら）は、シミを同定するシステムを開示している。よくある様々なタイプのシミの輪郭を、コンプライアントな可撓性のプラスチックフィルムに写し取る。これらのシミは種々の皮膚病を表す。医学便覧に参照することによってシミのタイプから疾病を同定する。更に、治療方法に関する索引を利用して、該当する病的異常に対して示唆された治療方法を見出す。
【０００３】
米国特許第５，７２７，９４９号（Ｂａｒ−Ｏｒら）は、二環パネル型照合カードを提案している。パネルは相対移動自在に装着されており、ある１つの皮膚の問題について選定した診断的特徴を第二の診断的特徴に位置合せすると、これらの特徴の特定の組合せに基づいて確定的な予後が示される。
【０００４】
ＣｕＤｅｒｍ  Ｃｏｒｐｏｒａｔｉｏｎは、皮膚の乾燥度を測定する簡単な診断試験を開発した。ＣｕＤｅｒｍは、偏平細胞（皮膚細胞）の小さい切片を採取し得る粘着性ディスク（Ｄ−ｓｑｕａｍｅ）を使用し、結果をチャートに比較する。ディスクは片面に接着剤の付いた透明プラスチックである。試験は、ディスクの接着剤面を使用者の額に貼付する段階と、ディスクを剥ぎ取る段階と、該ディスクを暗色の背景カード上に置く段階とから成る。皮膚の剥脱片が接着剤面に付着し、暗色背景上で可視化される。試験対象となる使用者の皮膚からは、ばらばらの剥脱片以外にトポグラフィー的圧痕を採取することは全くできない。
【０００５】
幾つかの皮膚有益効果を宣伝する多くの化粧品が販売されている。普通の消費者は宣伝されている有益効果が実際に提供されるか否かを判別できない。これらの有効物質が効果を与えることがたとえ認められるにしても、その効果は長期間にわたって極めてゆっくりとしか現れないこともあろう。老化防止有効物質は特に代表的な例である。顔面の細い溝及びしわはアルファヒドロキシカルボン酸及び／またはレチノールのような有効物質によって最小限に抑えることはできるが、ある程度目に見える改善が得られるまでには長い使用期間が必要である。これらの有効物質は瞬時に機能することはできない。
【発明の開示】
【発明が解決しようとする課題】
【０００６】
従って、本発明の１つの有益な目的は、化粧品による老化兆候の治療の進行を廉価で簡単な試験によって測定でき、消費者が自身で製品の効果を自己評価できるような化粧品システム及び方法を提供することである。
【０００７】
本発明の別の有益な利点は、顔面またはその他のヒトの皮膚の老化し易い部分の細い溝及びしわの変化を測定する廉価で簡単な自己評価ツールを使用する化粧品システム及び方法を提供することである。
【課題を解決するための手段】
【０００８】
（ｉ）老化の兆候に抵抗する化粧組成物と
（ｉｉ）組成物と共に包装された試験デバイスとを含み、
該デバイスは皮膚のモニター領域に組成物を塗布した後のある期間にわたる老化の兆候に対する抵抗の進行を評価する手段を有することを特徴とする化粧品システムが提供される。
【０００９】
可能な試験デバイスとしては水不溶性基板と該基板に付着させた変形性半固体層とを基材とするストリップがあり、この層は皮膚のモニター領域に接して配置されると皮膚の三次元トポグラフィーに順応する。
【００１０】
あるいは、試験デバイスが水不溶性基板と該基板に付着させた造影層とを含んでもよく、この層は、皮脂濃度、水分、温度及びｐＨのような皮膚特性に選択的に感受性である。
【００１１】
また、“しわ”を形成する顔面の隆起線と陥凹部との間の境目を、試験ストリップの接着剤層に反応性の粉末、好ましくは不溶性物質の塗布によって造影してもよい。接着剤層に接触したときに皮膚の隆起領域のトポグラフィーだけが粉末によって転写される。このようにして、細い溝及びしわの像がストリップの接着剤被膜全体に粉末パターンとして出現する。
【００１２】
本発明の１つの特徴によれば、消費者はその後の試験像に対する比較としてある程度の期間は像を保存することが必要である。試験は、開始時点及びその後４、８、１２、１６及び／または２０週間行う。時間間隔及び回数は延長しても短縮してもよい。従って、得られた像を少なくとも数週間は保存するために該像を定着するのが望ましい。
【００１３】
定着剤は特定の試験デバイスに左右される。接着剤層の変形によって造影するデバイスでは透明な担持基板を使用する。しわの像を写し取り、接着剤表面を暗色（例えば黒色）領域に隣接して配置する。次いでパターンを透明なプラスチック支持基板越しに観察できる。
【００１４】
別の定着方法では、像を写し取った接着剤層と相互作用性の化学物質を暗色背景領域に配備する。この場合には暗色背景の化学物質と接着剤の化学物質との間で硬化が生じる。反応の種類は例えば、酸化−還元、酸−塩基または重合でよい。
【００１５】
あるいは、ＵＶ光または天然光／蛍光に感受性の接着剤によって定着させてもよい。基板シートに支持されている感光性接着剤を光透過防止性の剥離可能な保護ストリップで被覆する。使用の際、光防御シートを除去し、接着剤表面を顔面の処理領域に貼付し、接着剤の変形によって像を形成させ、次いで、得られた像を露光すると、接着剤形成ポリマーが硬化して硬化物質になる。像に対比させるために通常は支持基板に暗色をのせる。
【００１６】
本発明の別の特徴は、化粧組成物が試験デバイスと共に包装されたシステムを提供することである。多様な包装形態を設計できる。試験デバイスはセルロース材料、プラスチック材料またはそれらの混用材料から成るストリップまたはテープの形態でよく、化粧組成物を収納している容器と共に包装箱の内部に配置される。
【００１７】
あるいは、試験デバイスは化粧組成物を保護的に包囲する包装箱のパネル部分として組み込まれてもよい。その変形では、試験デバイスがミシン目付きのもしくは弱体化した組立線によってまたは接着剤結合によって離脱自在に包装品に結合されてもよい。
【００１８】
更に、老化防止化粧品の効果を評価するための方法が提供される。この方法は、
（Ａ）（ｉ）その片面に接着剤を備えた支持基板から成る試験テープと
（ｉｉ）定着剤のない場合よりも長い期間圧痕を維持する定着デバイスとを含み、
該接着剤が皮膚からテープを剥がした後に細い溝及びしわの圧痕を維持するために十分な粘着性を有しているキットを準備する段階と、
（Ｂ）化粧品を皮膚に塗布する段階と、
（Ｃ）段階（Ｂ）の化粧品で処理した皮膚に試験テープの接着剤面を貼付する段階と、
（Ｄ）ストリップを剥がし、これに定着剤を接触させる段階と、
（Ｅ）もっと後の時期に段階（Ｃ）と（Ｄ）とを繰り返し、初回及び次回の皮膚への試験テープ貼付で得られたパターンを比較する段階と、を含む。
【００１９】
いまや消費者には、化粧組成物の長い塗布期間にわたって該組成物の効果の進行を測定する試験デバイスを組み込んた老化の兆候に化粧的に抵抗するシステムがもたらされたのである。
【００２０】
しわは皮膚表面の峰と谷とによって形成される。本発明の試験デバイスは、しわの存在箇所が消費者に容易にわかるようにしわのトポグラフィーを２Ｄ像に転写する。本発明によって皮膚の組成または状態の諸要素が、峰／谷の像を観察用基板に“転写する”ために利用される。典型的な要素は、表面の鱗屑、ｐＨ、油／皮脂濃度、水分、温度及び直接３Ｄレリーフ像、などである。一般的にこれらの方法は、造影可能な物質でコーティングされた基板、通常は水不溶性のセルロース材料またはプラスチック材料から成るストリップを使用する。試験デバイスの幾つかの可能な実施態様を以下に示す。
【００２１】
（Ａ）表面の前処理
このシステムでは、ストリップは接着剤でコーティングされた水不溶性基板として製造される。粉末（例えば、二酸化チタン、タルクまたはクレー）を皮膚の処理領域に配布する。その後、ストリップの接着剤面を粉末付着領域の上に貼付する。接触後に除去するとしわの像（２Ｄ）が残留する。これらのストリップは薬剤デリバリーに利用される経皮パッチと同様である。これらはＬｏｈｍａｎ  Ｔｈｅｒａｐｉｅ  Ｓｙｓｔｅｍｅｓ，Ｇｅｒｍａｎｙから入手可能である。
【００２２】
（Ｂ）ｐＨ
ｐＨ指示薬をコーティングしたリトマスまたは別のｐＨ感受性の紙またはプラスチックを皮膚の処理領域に接触させて配置する。ｐＨは接触点の変色を生じさせる。しわを形成している峰または隆起が最初にｐＨ感受性試験紙に接触するのでストリップの変色はしわのパターンに一致したパターンを生じるであろう。
【００２３】
（Ｃ）油／皮脂
皮脂感受性フィルムは３Ｍ  Ｃｏｒｐｏｒａｔｉｏｎから入手可能である。低レベルの鉱油をフィルム上に分散させると、皮脂が皮膚表面の峰領域から吸収される箇所では飽和になる。皮脂パターンに沿って色が暗くなり、これによってしわの像が形成される。
【００２４】
（Ｄ）水分
水で活性化されて変色を生じる試薬をプラスチックまたはセルロースストリップに含浸させる。皮膚に接触すると、プラスチックの発汗に起因する水分がしわ形成領域の隆起に沿ってストリップに付着する。水と反応して像を生じ得る典型的な化学物質は、カルボン酸になり易いラクトンまたは無水物、あるいは、水に溶解して活性化され電気回路を閉じることによってまたは単に水溶性塩を溶解させることによって背景中に不溶性塩の像を残存させる電解質、などである。
【００２５】
（Ｅ）温度
皮膚温度との接触によってわずかな温度変化が生じるとしわの隆起に沿って１つの色から別の色に変色するコレステリック結晶（液晶）材料をストリップにコーティングし得る。。
【００２６】
（Ｆ）トポグラフィー（直接的な３Ｄレリーフ像）
支持基板シートに、粘着性接着剤（例えば、ポリアクリレート、ポリビニルアルコール、アルギン酸ガムまたはデンプン）、湿潤させた焼セッコウ（例えば、Ｇｙｐｓｏｎａ  Ｐｌａｓｔｅｒ  Ｂａｎｄａｇｅ）、または、半固体ワックス（例えば、パラフィンまたはミクロクリスタリンポリエチレンワックス）を塗布する。接着剤の使用などによって直接的な３Ｄレリーフ像を得る方法は４つの基準が満たされる場合に最適である。皮膚から引き剥がすときに接着剤が傷付いてはならない。第二に、いったん受容した像が保持されるようにまだ十分に流動性でない像を受容すべく接着剤が十分に流動性（圧痕受容性）でなければならない。第三に、システムが背景に対して顕著な対比を示すことが必要である。最後に、担体として支持体または基板が必要である。
【００２７】
定着剤の利点は、現像されたしわの像を長い持続期間にわたって維持するために有用なことである。定着が化学的な定着でもよい。例えば、接着剤をＵＶ光または天然光または蛍光に感受性の活性化可能なモノマーまたはオリゴマーとブレンドできる。硬化性接着剤の表面に被せた不透明ストリップによって接着剤から光を遮蔽する。いったん接着剤が皮膚に接触してしわのパターンを形成すると、このパターンがＵＶ光または天然光または蛍光に露光され、圧痕を硬化させる。
【００２８】
別の定着系では透明または暗色の付加ストリップを使用する。ここでは、暗色基板に付着させた接着剤をターゲット皮膚に接触させる。剥ぎ取った後、接着剤表面を像と共に透明シートに重ねる。透明シートは像が破壊されないように像を定着させる。代替方法では、像のない接着剤を担持している出発基板を透明にできる。接着剤をターゲット皮膚に接触させた後、接着剤を剥ぎ取り、黒色表面をもつストリップをしわ像に当てる。得られた定着パターンは透明な出発基板越しに観察できる。このシステムをもっと詳細に以下に説明する。
【００２９】
図１は、剥離裏地４に接着剤で付着された透明ストリップ２を示す。ストリップ２は、右目または左目の近傍で目の外眼角（カラスの足跡の領域）全体に配置することができるようにソラマメ形である。この弯曲形状は、目の外眼角の周囲をできるだけ大きく覆うことができるように考察されている。
【００３０】
タブ６がストリップ２に取り付けられている。このタブは摘まみ構造の役割を果たす。タブを最初に剥がすとストリップを剥離自在な裏地から容易に分離できる。ストリップが透明であることに対比させてタブを不透明、好ましくは黒色にしてあるので、使用者はこの領域を見分けて此処から引き剥がしを開始するための目印になる。
【００３１】
図２はもっと細長い複葉形状の第二の実施態様を示す。ストリップ２′は剥離裏地４′に脱着自在に接着されている。タブ６′はストリップの２つの葉の間でストリップを二等分する対称軸に沿って配向及び配置されている。第一の実施態様よりももっと細長いこの実施態様の形状は、貼付したときに眉毛が接着剤に巻き込まれないようにするためである。毛髪が捕捉されるのは望ましくない。接着剤に毛髪が捕捉されると、ストリップを剥がすときに痛みを伴う。これは望ましくない疼痛要因であると考えられる。
【００３２】
種々の老化防止製品の効果を検査する手順では、ストリップをその剥離裏地から分離する。次に、そのトポグラフィーを造影すべき皮膚の領域に沿ってストリップを配置する。所期の主な評価領域は顔面領域、特に目の周囲の領域である。次に、ストリップを剥がして造影カード８に載せる。圧痕はカードの暗色背景、好ましくは黒色背景に溶け込み、透明ストリップがこの圧痕を可視化する。図３は、造影カードの黒色背景上で可視化された細い溝及びしわ１０を示しているストリップを表す。
【００３３】
細い溝及びしわの基底値を分析した後、選択した老化防止化粧品による治療を開始する。治療は、製品が老化の徴候を治療し得る十分な期間にわたって継続する。
【００３４】
第一の造影野に隣接して第二の造影野を配置する。例えば４週間という治療期間の経過後、第二の透明ストリップ２１に第二の圧痕を転写する。化粧品が適正に機能しているならば、第二の造影野に出現する細い溝及びしわ１１が少なくなっているであろう。この手順を更に６週間または８週間またはもっと長い期間で繰り返すことができる。各試験では新しいストリップ及び同じまたは別の造影カード上の新しい暗色領域を使用する。
【００３５】
図示の特定実施態様に使用する場合、細い溝及びしわを表す皮膚の割れ目に流入するように接着剤が十分に流動性である。しかしながらストリップを顔面から剥ぎ取るときに皮膚ができるだけ引っ張られないように接着剤が強力すぎてはならない。適切な流動性がなければ細い溝及びしわの像を全く形成することなく表面細胞が捕捉されるだけであろう。
【００３６】
図示の実施態様に使用されるストリップは、高低のある表面上のパターンを観察し得る透明加工品であろう。ストリップの適当な材料は、透明フィルムとして形成できる任意の種類のプラスチックまたはセルロース樹脂であろう。典型的にはプラスチックが、ポリエチレン、ポリプロピレン、ポリスチレン、ポリエステル、ポリカーボネート、ポリアクリレート、ポリ塩化ビニル、ポリビニルアルコール及びポリブテンから選択され得る。ホモポリマーだけでなくコポリマーもストリップ材料として利用し得る。コポリマーは、フリーラジカル重合によって構築されたＣ２−Ｃ１０オレフィン、塩化ビニル、アクリレート及びスチレンのようなモノマーから形成され得る。モノマーがＣ２−Ｃ１０ジカルボン酸、Ｃ２−Ｃ１０ポリオール、Ｃ２−Ｃ６アルコキシレート及びそれらの組合せから選択され得るコポリマーの形成には縮合プラスチックも利用し得る。ポリエチレン、ポリプロピレン及びポリエステルテレフタレートはストリップを形成するための好ましいプラスチック基板である。
【００３７】
ストリップの厚みは０．００００１−２ｍｍ、好ましくは０．０００１−１ｍｍ、より好ましくは０．００１−０．５ｍｍ、最適には０．０１−０．１ｍｍの範囲の任意の値でよい。
【００３８】
裏地は典型的には、一般に接着剤不透質の材料から接着剤不透過性になるように製造される。裏地は弾性であっても非弾性であってもよいが、好ましくは弾性である。可撓性であるときは接着ストリップの分離がいっそう容易である。裏地は、有機ポリマー及びセルロース樹脂のような様々な材料から形成できる。隣接の接着ストリップを容易に分離できるようにシリコーンのような剥離コーティングを裏地の上面に形成してもよい。
【００３９】
接着剤は感圧型でも非感圧型でもよく、好ましくは、平均厚み約０．０００００５ｍｍ−約２ｍｍ、好ましくは約０．００００５ｍｍ−約０．５ｍｍ、より好ましくは約０．０００５ｍｍ−約０．２５ｍｍ、最適には約０．００５ｍｍ−約０．０５ｍｍの層である。
【００４０】
本発明に使用するための適当な感圧接着剤は塗布可能な接着剤である。多様な種類の塗布可能な感圧接着剤、例えば、溶媒塗布、ホットメルト塗布が可能な感圧接着剤、並びに、水なしで塗布可能なラテックスＰＳＡなどを使用できる。また、無溶媒の硬化可能な接着剤（しばしば１００％固体と呼ばれる）も使用できる。接着剤のもっと厚い被膜が望まれる場合には、接着剤を多層塗布するか、ホットメルト塗布するか、または、接着剤をｉｎ  ｓｉｔｕで光重合させるのが望ましい。感圧接着剤の特定例としては、イソオクチルアクリレート／アクリル酸コポリマーのようなアクリレート、粘着性が付与されたアクリレート、及び、米国特許第４，９４６，７４２号（Ｌａｎｄｉｎ）に開示されているような可塑剤含有アクリレート；熱硬化性ゴム、熱可塑性ゴム及びエラストマーのような天然または合成のゴム樹脂、例えば、ニトリルゴム（例えば、アクリロニトリル−ブタジエン）、スチレン−ブタジエン、スチレン−イソプレン、スチレン−ブタジエン−スチレン、スチレン−イソプレン−スチレン、及び、天然ゴム；シリコーン基材の接着剤、例えばポリシロキサン；ポリオレフィン；ポリエステル；ポリアミド；及びポリウレタンがある。
【００４１】
アクリル型の感圧接着剤が特に好ましい。粘着値の低い感圧接着剤が最も好ましい。これらの材料はＦｌｅｘｃｏｎ（Ｒ）という商標で市販されている。
【００４２】
非感圧接着剤の代表は多糖類である。その例は、デンプン、化学的に改質されたデンプン、天然または合成のガムである  デンプンは、トウモロコシデンプン及びジャガイモデンプンなどである。化学的に改質されたデンプンは、ヒドロキシアルキル化デンプン、アシル化デンプン、ヒドロキシプロピルセルロース、ヒドロキシプロピルメチルセルロース、エチルセルロース及びカルボキシメチルセルロース、などである。ガムは、アルギン酸塩、グアー、カラゲナン、寒天、カラヤ、ペクチン、アラビアガム、スクレロチウム、ゼラチン及びガムの組合せ、などである。
【００４３】
ストリップ対接着剤の相対的厚みは、１：２００−２００：１、好ましくは１：１０−１０：１、最適には２：１−１：２の範囲でよい。ストリップ対接着剤の相対重量比は１：２００−２００：１、好ましくは１：１０−１０：１、最適には２：１−１：２の範囲でよい。
【００４４】
本発明の化粧組成物は、老化防止有効物質または湿潤剤と共に配合できる。これらの物質は双方ともが老化の兆候に抵抗する作用をもつ。組成物は、クリーム、ローション、ペースト、スティック（例えば、棒紅）、または粉末の形態を有し得る。これらの化粧品は通常は担体を含むであろう。適当な担体は、水、皮膚緩和剤（エステル、炭化水素、シリコーン、ポリオール及びそれらの混合物）、乳化剤、増粘剤及びそれらの組合せである。最も頻用される担体は水中油型または油中水型などのエマルジョンであろう。担体の量は、化粧組成物の約１−約９９．９重量％の範囲でよい。
【００４５】
老化防止有効物質としては、レチノイド、セラミド、アルファまたはベータ−ヒドロキシカルボン酸、フラボノイド、ビタミン、日光遮断剤、抗酸化剤、保存剤及びそれらの混合物がある。
【００４６】
典型的なレチノイドとしては、レチノール、レチノイン酸及びレチノールエステルがある。レチノールエステルとしては、レチニルパルミテート、レチニルリノレエート、レチニルプロピオネート、レチニルアセテート及びレチニルサリチレートがある。
【００４７】
アルファ−ヒドロキシ酸としては、遊離酸、ラクトン及び塩の形態のグリコール酸、乳酸、クエン酸、グルコノラクトン、グルカロラクトン、酒石酸、リンゴ酸及びそれらの混合物がある。ベータ−ヒドロキシカルボン酸の代表例は、サリチル酸及びそのエステル（例えば、トリデシルサリチレート）、並びに、アンモニウム、アルカノールアンモニウム及びアルカリ金属塩のような塩である。
【００４８】
セラミドとしては、セラミド１、セラミド２、セラミド３、セラミド３ａ、セラミド３ｂ、セラミド４、セラミド５及びセラミド６、並びに、擬セラミド、フィトスフィンゴシン及びテトラアセチルフィトスフィンゴシンがある。
【００４９】
ビタミンは、アスコルビン酸並びにその水溶性及び水不溶性の誘導体を包含し得る。代表例は、アスコルビルテトライソパルミテート、アスコルビルリン酸マグネシウム及びアスコルビルグルコシドである。その他のビタミンとしては、ビタミンＢ３（ナイアシン、ナイアシンアミド及びバンテノール）、ビオチン、葉酸、トコフェロール及びそのエステル（例えば、トコフェロールイソパルミテート）、ビタミンＤ及びそれらの組合せがある。
【００５０】
抗酸化剤としては、ＢＨＴ（ブチル化ヒドロキシトルエン）、ＢＨＡ（ブチル化ヒドロキシアニソール）、ヒドロキノン、フェルラ酸及びそのエステル、緑茶エキス、リポ酸、Ｎ−アセチルシステイン、レスベラトロール（ｒｅｓｖｅｒａｔｒｏｌ）及びそれらの組合せがある。
【００５１】
老化防止有効物質の量は、化粧組成物の重量の、０．００００００１−３０重量％、好ましくは０．０００１−１５重量％、より好ましくは０．１−５重量％、最適には０．５−２重量％の範囲内の任意の値でよい。
【００５２】
処理実施例及び比較実施例を除いて、または、別の明白な指示がある場合を除いて、本明細書中の材料の量を示す全ての数値は“約”という語で修飾されることを理解されたい。
【００５３】
“から成る”という用語の意味は、その後に記述された要素に限定されることなく主要なまたは副次的な機能的重要性を有している不特定の要素を包含する。言い換えると、すべての段階、要素または任意選択要素を悉く網羅する必要はない。“含んでいる”または“有している”という用語が使用されているとき、これらの用語は常に、上記に定義の“から成る”に等価の意味を表す。
【００５４】
本文中及び特許請求の範囲に記載されたすべての部、パーセンテージ及び割合は、異なる指示がない限り重量基準の値である。
【図面の簡単な説明】
【００５５】
【図１】本発明の貼付ストリップの第一の実施態様である。
【図２】本発明の貼付ストリップの第二の実施態様である。
【図３】皮膚に貼付し、皮膚から剥離した後で、読み取りカードの暗色野に載せた図１の実施態様の貼付ストリップである。
【図１】
2004535859.tif 000003
【図２】
2004535859.tif 000004
【図３】
2004535859.tif 000005
【国際公開パンフレット】
2004535859.tif 000006
2004535859.tif 000007
2004535859.tif 000008
2004535859.tif 000009
2004535859.tif 000010
2004535859.tif 000011
2004535859.tif 000012
2004535859.tif 000013
2004535859.tif 000014
2004535859.tif 000015
2004535859.tif 000016
2004535859.tif 000017
2004535859.tif 000018
2004535859.tif 000019
2004535859.tif 000020
2004535859.tif 000021
2004535859.tif 000022
2004535859.tif 000023
2004535859.tif 000024
2004535859.tif 000025
2004535859.tif 000026
2004535859.tif 000027
2004535859.tif 000028
【手続補正書】
【提出日】平成15年6月30日(2003.6.30)
【手続補正１】
【補正対象書類名】特許請求の範囲
【補正対象項目名】全文
【補正方法】変更
【補正の内容】
【特許請求の範囲】
【請求項１】
（ｉ）老化の兆候に抵抗する化粧組成物と、および
（ｉｉ）前記組成物と共に包装された試験デバイスとを含み、
消費者は前記化粧組成物の効果を試験デバイス（２）によって長期間にわたって自己評価でき、
前記デバイスは、皮膚のモニター領域に組成物を塗布した後の老化の兆候に対する抵抗の進行を評価する手段を有し、及び、
前記手段は、組成物塗布後の複数の異なる期間に前記皮膚領域の圧痕を採取する第一及び第二のストリップ（２，２１）と、第一及び第二のストリップの圧痕を互いに隣接して受容し配置する造影カード（８）を含む、化粧品システム。
【請求項２】
前記老化の兆候が細い溝、しわ及びそれらの共存であることを特徴とする請求項１に記載のシステム。
【請求項３】
試験デバイス（２）が、水不溶性基板と該基板に付着させたポリマー層とから成り、皮膚のモニター領域に接して配置されたときに前記層が皮膚のトポグラフィーに順応することを特徴とする請求項１または２に記載のシステム。
【請求項４】
前記ポリマー層が接着剤であることを特徴とする請求項３に記載のシステム。
【請求項５】
前記接着剤が、アクリレート、デンプン、ガム、ポリビニルアルコール及びそれらの混合物から成るグループから選択されたポリマーであることを特徴とする請求項４に記載のシステム。
【請求項６】
試験デバイス（２）が更に、ポリマー層を被覆して配置された保護カバー基板を有しており、皮膚のモニター領域にポリマー層を貼付する前にカバー基板が除去されることを特徴とする請求項３から５のいずれか一項に記載のシステム。
【請求項７】
試験デバイス（２）が水不溶性基板とその上に付着させた造影層とから成り、前記層が表面の前処理、皮脂、水分、ｐＨ、温度及びトポグラフィーに選択的に感受性であることを特徴とする請求項１から６のいずれか一項に記載のシステム。
【請求項８】
定着剤が像に作用することを特徴とする請求項１から７のいずれか一項に記載のシステム。
【請求項９】
定着剤が、ＵＶ光または天然光で開始される像形成成分の重合硬化から成るグループから選択されることを特徴とする請求項８に記載のシステム。
【請求項１０】
試験デバイス（２）が、セルロース材料、プラスチック材料またはそれらの混用材料のストリップ（２）から選択された材料を含み、前記ストリップが化粧組成物を収納している容器と共に包装箱内に配置されていることを特徴とする請求項１から９のいずれか一項に記載のシステム。
【請求項１１】
試験デバイス（２）が化粧組成物を収納している容器を保護的に包囲する包装箱のパネル部分として組み込まれていることを特徴とする請求項１から１０のいずれか一項に記載のシステム。
【請求項１２】
試験デバイス（２）が化粧組成物を収納している容器を保護的に包囲する包装箱に着脱自在に結合されており、前記試験デバイスの結合が、ミシン目、箱壁の弱体化及び接着剤結合から成るグループから選択された手段を介して行われていることを特徴とする請求項１から１１のいずれか一項に記載のシステム。
【請求項１３】
老化防止化粧品の効果を消費者が評価できる方法であって、この方法は、
（Ａ）（ｉ）その片面に接着剤を備えた支持基板から成る試験テープ（２）と
（ｉｉ）定着剤のない場合よりも長い期間圧痕を維持する定着デバイスとを含み、
前記接着剤が皮膚からテープを剥がした後に細い溝及びしわの圧痕を維持するために十分な粘着性を有しているキットを消費者に提供する段階と、
（Ｂ）化粧品を皮膚に塗布する段階と、
（Ｃ）段階（Ｂ）の化粧品で処理した皮膚に試験テープの接着剤面を貼付する段階と、
（Ｄ）ストリップを剥がし、これに定着剤を接触させる段階と、
（Ｅ）もっと後の時期に第二の試験テープ（２１）によって段階（Ｃ）と（Ｄ）とを繰り返し、皮膚への第一及び第二の試験テープ貼付で得られたパターンを比較する段階と、を含む方法。
【手続補正２】
【補正対象書類名】明細書
【補正対象項目名】全文
【補正方法】変更
【補正の内容】
【発明の詳細な説明】
【技術分野】
【０００１】
本発明は、化粧組成物の効果を試験するために化粧組成物と共に包装された試験デバイスに組合わせた老化の兆候に抵抗するための化粧組成物及び方法に関する。
【背景技術】
【０００２】
一般人が自身の皮膚状態を自己診断するための検査用デバイスは多くの刊行物に開示されている。米国特許第３，５７１，９４７号（Ｍａｄｄｉｓｏｎら）は、シミを同定するシステムを開示している。よくある様々なタイプのシミの輪郭を、コンプライアントな可撓性のプラスチックフィルムに写し取る。これらのシミは種々の皮膚病を表す。医学便覧に参照することによってシミのタイプから疾病を同定する。更に、治療方法に関する索引を利用して、該当する病的異常に対して示唆された治療方法を見出す。
【０００３】
米国特許第５，７２７，９４９号（Ｂａｒ−Ｏｒら）は、二環パネル型照合カードを提案している。パネルは相対移動自在に装着されており、ある１つの皮膚の問題について選定した診断的特徴を第二の診断的特徴に位置合せすると、これらの特徴の特定の組合せに基づいて確定的な予後が示される。
【０００４】
米国特許第５，６８４，５７３号（Ｋｈａｚａｋａら）は、ヒトの皮膚表面の三次元像を測定するデバイスを報告している。このデバイスは、最初に液体状のシリコーン材料を受容する透明な支持プレートと、シリコーン材料によって採取された皮膚の圧痕を分析するための測定ゾーンを備えた分析ユニットと、余剰の液状シリコーン材料を除去するための支持プレート内の排水チャネルとを含む。皮膚構造の変化は、複数の時間間隔にわたってこのデバイスによって特定され得る。
【０００５】
米国特許第５，４３３，２１４号（Ｂｒｅｈｍら）は、ヒトの皮膚の脂肪及び水分の含量を測定し表示するインジケーターを記載している。ほぼ白色の脂肪感受性及び水分感受性の物質がインジケーターの基板に塗布されている。この基板を皮膚に貼付すると、貼付された基板が皮膚の脂肪及び水分の含量に比例して少なくとも部分的に変色する。
【０００６】
ＣｕＤｅｒｍ  Ｃｏｒｐｏｒａｔｉｏｎは、皮膚の乾燥度を測定する簡単な診断試験を開発した。ＣｕＤｅｒｍは、偏平細胞（皮膚細胞）の小さい切片を採取し得る粘着性ディスク（Ｄ−ｓｑｕａｍｅ）を使用し、結果をチャートに比較する。ディスクは片面に接着剤の付いた透明プラスチックである。試験は、ディスクの接着剤面を使用者の額に貼付する段階と、ディスクを剥ぎ取る段階と、該ディスクを暗色の背景カード上に置く段階とから成る。皮膚の剥脱片が接着剤面に付着し、暗色背景上で可視化される。試験対象となる使用者の皮膚からは、ばらばらの剥脱片以外にトポグラフィー的圧痕を採取することは全くできない。
【０００７】
幾つかの皮膚有益効果を宣伝する多くの化粧品が販売されている。普通の消費者は宣伝されている有益効果が実際に提供されるか否かを判別できない。これらの有効物質が効果を与えることがたとえ認められるにしても、その効果は長期間にわたって極めてゆっくりとしか現れないこともあろう。老化防止有効物質は特に代表的な例である。顔面の細い溝及びしわはアルファヒドロキシカルボン酸及び／またはレチノールのような有効物質によって最小限に抑えることはできるが、ある程度目に見える改善が得られるまでには長い使用期間が必要である。これらの有効物質は瞬時に機能することはできない。
【発明の開示】
【発明が解決しようとする課題】
【０００８】
従って、本発明の１つの有益な目的は、化粧品による老化兆候の治療の進行を廉価で簡単な試験によって測定でき、消費者が自身で製品の効果を自己評価できるような化粧品システム及び方法を提供することである。
【０００９】
本発明の別の有益な利点は、顔面またはその他のヒトの皮膚の老化し易い部分の細い溝及びしわの変化を測定する廉価で簡単な自己評価ツールを使用する化粧品システム及び方法を提供することである。
【課題を解決するための手段】
【００１０】
（ｉ）老化の兆候に抵抗する化粧組成物と
（ｉｉ）組成物と共に包装された試験デバイスとを含み、
該デバイスは皮膚のモニター領域に組成物を塗布した後のある期間にわたる老化の兆候に対する抵抗の進行を評価する手段を有することを特徴とする化粧品システムが提供される。
【００１１】
可能な試験デバイスとしては水不溶性基板と該基板に付着させた変形性半固体層とを基材とするストリップがあり、この層は皮膚のモニター領域に接して配置されると皮膚の三次元トポグラフィーに順応する。
【００１２】
あるいは、試験デバイスが水不溶性基板と該基板に付着させた造影層とを含んでもよく、この層は、皮脂濃度、水分、温度及びｐＨのような皮膚特性に選択的に感受性である。
【００１３】
また、“しわ”を形成する顔面の隆起線と陥凹部との間の境目を、試験ストリップの接着剤層に反応性の粉末、好ましくは不溶性物質の塗布によって造影してもよい。接着剤層に接触したときに皮膚の隆起領域のトポグラフィーだけが粉末によって転写される。このようにして、細い溝及びしわの像がストリップの接着剤被膜全体に粉末パターンとして出現する。
【００１４】
本発明の１つの特徴によれば、消費者はその後の試験像に対する比較としてある程度の期間は像を保存することが必要である。試験は、開始時点及びその後４、８、１２、１６及び／または２０週間行う。時間間隔及び回数は延長しても短縮してもよい。従って、得られた像を少なくとも数週間は保存するために該像を定着するのが望ましい。
【００１５】
定着剤は特定の試験デバイスに左右される。接着剤層の変形によって造影するデバイスでは透明な担持基板を使用する。しわの像を写し取り、接着剤表面を暗色（例えば黒色）領域に隣接して配置する。次いでパターンを透明なプラスチック支持基板越しに観察できる。
【００１６】
別の定着方法では、像を写し取った接着剤層と相互作用性の化学物質を暗色背景領域に配備する。この場合には暗色背景の化学物質と接着剤の化学物質との間で硬化が生じる。反応の種類は例えば、酸化−還元、酸−塩基または重合でよい。
【００１７】
あるいは、ＵＶ光または天然光／蛍光に感受性の接着剤によって定着させてもよい。基板シートに支持されている感光性接着剤を光透過防止性の剥離可能な保護ストリップで被覆する。使用の際、光防御シートを除去し、接着剤表面を顔面の処理領域に貼付し、接着剤の変形によって像を形成させ、次いで、得られた像を露光すると、接着剤形成ポリマーが硬化して硬化物質になる。像に対比させるために通常は支持基板に暗色をのせる。
【００１８】
本発明の別の特徴は、化粧組成物が試験デバイスと共に包装されたシステムを提供することである。多様な包装形態を設計できる。試験デバイスはセルロース材料、プラスチック材料またはそれらの混用材料から成るストリップまたはテープの形態でよく、化粧組成物を収納している容器と共に包装箱の内部に配置される。
【００１９】
あるいは、試験デバイスは化粧組成物を保護的に包囲する包装箱のパネル部分として組み込まれてもよい。その変形では、試験デバイスがミシン目付きのもしくは弱体化した組立線によってまたは接着剤結合によって離脱自在に包装品に結合されてもよい。
【００２０】
更に、老化防止化粧品の効果を評価するための方法が提供される。この方法は、
（Ａ）（ｉ）その片面に接着剤を備えた支持基板から成る試験テープと
（ｉｉ）定着剤のない場合よりも長い期間圧痕を維持する定着デバイスとを含み、
該接着剤が皮膚からテープを剥がした後に細い溝及びしわの圧痕を維持するために十分な粘着性を有しているキットを準備する段階と、
（Ｂ）化粧品を皮膚に塗布する段階と、
（Ｃ）段階（Ｂ）の化粧品で処理した皮膚に試験テープの接着剤面を貼付する段階と、
（Ｄ）ストリップを剥がし、これに定着剤を接触させる段階と、
（Ｅ）もっと後の時期に段階（Ｃ）と（Ｄ）とを繰り返し、初回及び次回の皮膚への試験テープ貼付で得られたパターンを比較する段階と、を含む。
【００２１】
いまや消費者には、化粧組成物の長い塗布期間にわたって該組成物の効果の進行を測定する試験デバイスを組み込んた老化の兆候に化粧的に抵抗するシステムがもたらされたのである。
【００２２】
しわは皮膚表面の峰と谷とによって形成される。本発明の試験デバイスは、しわの存在箇所が消費者に容易にわかるようにしわのトポグラフィーを２Ｄ像に転写する。本発明によって皮膚の組成または状態の諸要素が、峰／谷の像を観察用基板に“転写する”ために利用される。典型的な要素は、表面の鱗屑、ｐＨ、油／皮脂濃度、水分、温度及び直接３Ｄレリーフ像、などである。一般的にこれらの方法は、造影可能な物質でコーティングされた基板、通常は水不溶性のセルロース材料またはプラスチック材料から成るストリップを使用する。試験デバイスの幾つかの可能な実施態様を以下に示す。
【００２３】
（Ａ）表面の前処理
このシステムでは、ストリップは接着剤でコーティングされた水不溶性基板として製造される。粉末（例えば、二酸化チタン、タルクまたはクレー）を皮膚の処理領域に配布する。その後、ストリップの接着剤面を粉末付着領域の上に貼付する。接触後に除去するとしわの像（２Ｄ）が残留する。これらのストリップは薬剤デリバリーに利用される経皮パッチと同様である。これらはＬｏｈｍａｎ  Ｔｈｅｒａｐｉｅ  Ｓｙｓｔｅｍｅｓ，Ｇｅｒｍａｎｙから入手可能である。
【００２４】
（Ｂ）ｐＨ
ｐＨ指示薬をコーティングしたリトマスまたは別のｐＨ感受性の紙またはプラスチックを皮膚の処理領域に接触させて配置する。ｐＨは接触点の変色を生じさせる。しわを形成している峰または隆起が最初にｐＨ感受性試験紙に接触するのでストリップの変色はしわのパターンに一致したパターンを生じるであろう。
【００２５】
（Ｃ）油／皮脂
皮脂感受性フィルムは３Ｍ  Ｃｏｒｐｏｒａｔｉｏｎから入手可能である。低レベルの鉱油をフィルム上に分散させると、皮脂が皮膚表面の峰領域から吸収される箇所では飽和になる。皮脂パターンに沿って色が暗くなり、これによってしわの像が形成される。
【００２６】
（Ｄ）水分
水で活性化されて変色を生じる試薬をプラスチックまたはセルロースストリップに含浸させる。皮膚に接触すると、プラスチックの発汗に起因する水分がしわ形成領域の隆起に沿ってストリップに付着する。水と反応して像を生じ得る典型的な化学物質は、カルボン酸になり易いラクトンまたは無水物、あるいは、水に溶解して活性化され電気回路を閉じることによってまたは単に水溶性塩を溶解させることによって背景中に不溶性塩の像を残存させる電解質、などである。
【００２７】
（Ｅ）温度
皮膚温度との接触によってわずかな温度変化が生じるとしわの隆起に沿って１つの色から別の色に変色するコレステリック結晶（液晶）材料をストリップにコーティングし得る。
【００２８】
（Ｆ）トポグラフィー（直接的な３Ｄレリーフ像）
支持基板シートに、粘着性接着剤（例えば、ポリアクリレート、ポリビニルアルコール、アルギン酸ガムまたはデンプン）、湿潤させた焼セッコウ（例えば、Ｇｙｐｓｏｎａ  Ｐｌａｓｔｅｒ  Ｂａｎｄａｇｅ）、または、半固体ワックス（例えば、パラフィンまたはミクロクリスタリンポリエチレンワックス）を塗布する。接着剤の使用などによって直接的な３Ｄレリーフ像を得る方法は４つの基準が満たされる場合に最適である。皮膚から引き剥がすときに接着剤が傷付いてはならない。第二に、いったん受容した像が保持されるようにまだ十分に流動性でない像を受容すべく接着剤が十分に流動性（圧痕受容性）でなければならない。第三に、システムが背景に対して顕著な対比を示すことが必要である。最後に、担体として支持体または基板が必要である。
【００２９】
定着剤の利点は、現像されたしわの像を長い持続期間にわたって維持するために有用なことである。定着が化学的な定着でもよい。例えば、接着剤をＵＶ光または天然光または蛍光に感受性の活性化可能なモノマーまたはオリゴマーとブレンドできる。硬化性接着剤の表面に被せた不透明ストリップによって接着剤から光を遮蔽する。いったん接着剤が皮膚に接触してしわのパターンを形成すると、このパターンがＵＶ光または天然光または蛍光に露光され、圧痕を硬化させる。
【００３０】
別の定着系では透明または暗色の付加ストリップを使用する。ここでは、暗色基板に付着させた接着剤をターゲット皮膚に接触させる。剥ぎ取った後、接着剤表面を像と共に透明シートに重ねる。透明シートは像が破壊されないように像を定着させる。代替方法では、像のない接着剤を担持している出発基板を透明にできる。接着剤をターゲット皮膚に接触させた後、接着剤を剥ぎ取り、黒色表面をもつストリップをしわ像に当てる。得られた定着パターンは透明な出発基板越しに観察できる。このシステムをもっと詳細に以下に説明する。
【００３１】
図１は、剥離裏地４に接着剤で付着された透明ストリップ２を示す。ストリップ２は、右目または左目の近傍で目の外眼角（カラスの足跡の領域）全体に配置することができるようにソラマメ形である。この弯曲形状は、目の外眼角の周囲をできるだけ大きく覆うことができるように考察されている。
【００３２】
タブ６がストリップ２に取り付けられている。このタブは摘まみ構造の役割を果たす。タブを最初に剥がすとストリップを剥離自在な裏地から容易に分離できる。ストリップが透明であることに対比させてタブを不透明、好ましくは黒色にしてあるので、使用者はこの領域を見分けて此処から引き剥がしを開始するための目印になる。
【００３３】
図２はもっと細長い複葉形状の第二の実施態様を示す。ストリップ２′は剥離裏地４′に脱着自在に接着されている。タブ６′はストリップの２つの葉の間でストリップを二等分する対称軸に沿って配向及び配置されている。第一の実施態様よりももっと細長いこの実施態様の形状は、貼付したときに眉毛が接着剤に巻き込まれないようにするためである。毛髪が捕捉されるのは望ましくない。接着剤に毛髪が捕捉されると、ストリップを剥がすときに痛みを伴う。これは望ましくない疼痛要因であると考えられる。
【００３４】
種々の老化防止製品の効果を検査する手順では、ストリップをその剥離裏地から分離する。次に、そのトポグラフィーを造影すべき皮膚の領域に沿ってストリップを配置する。所期の主な評価領域は顔面領域、特に目の周囲の領域である。次に、ストリップを剥がして造影カード８に載せる。圧痕はカードの暗色背景、好ましくは黒色背景に溶け込み、透明ストリップがこの圧痕を可視化する。図３は、造影カードの黒色背景上で可視化された細い溝及びしわ１０を示しているストリップを表す。
【００３５】
細い溝及びしわの基底値を分析した後、選択した老化防止化粧品による治療を開始する。治療は、製品が老化の徴候を治療し得る十分な期間にわたって継続する。
【００３６】
第一の造影野に隣接して第二の造影野を配置する。例えば４週間という治療期間の経過後、第二の透明ストリップ２１に第二の圧痕を転写する。化粧品が適正に機能しているならば、第二の造影野に出現する細い溝及びしわ１１が少なくなっているであろう。この手順を更に６週間または８週間またはもっと長い期間で繰り返すことができる。各試験では新しいストリップ及び同じまたは別の造影カード上の新しい暗色領域を使用する。
【００３７】
図示の特定実施態様に使用する場合、細い溝及びしわを表す皮膚の割れ目に流入するように接着剤が十分に流動性である。しかしながらストリップを顔面から剥ぎ取るときに皮膚ができるだけ引っ張られないように接着剤が強力すぎてはならない。適切な流動性がなければ細い溝及びしわの像を全く形成することなく表面細胞が捕捉されるだけであろう。
【００３８】
図示の実施態様に使用されるストリップは、高低のある表面上のパターンを観察し得る透明加工品であろう。ストリップの適当な材料は、透明フィルムとして形成できる任意の種類のプラスチックまたはセルロース樹脂であろう。典型的にはプラスチックが、ポリエチレン、ポリプロピレン、ポリスチレン、ポリエステル、ポリカーボネート、ポリアクリレート、ポリ塩化ビニル、ポリビニルアルコール及びポリブテンから選択され得る。ホモポリマーだけでなくコポリマーもストリップ材料として利用し得る。コポリマーは、フリーラジカル重合によって構築されたＣ２−Ｃ１０オレフィン、塩化ビニル、アクリレート及びスチレンのようなモノマーから形成され得る。モノマーがＣ２−Ｃ１０ジカルボン酸、Ｃ２−Ｃ１０ポリオール、Ｃ２−Ｃ６アルコキシレート及びそれらの組合せから選択され得るコポリマーの形成には縮合プラスチックも利用し得る。ポリエチレン、ポリプロピレン及びポリエステルテレフタレートはストリップを形成するための好ましいプラスチック基板である。
【００３９】
ストリップの厚みは０．００００１−２ｍｍ、好ましくは０．０００１−１ｍｍ、より好ましくは０．００１−０．５ｍｍ、最適には０．０１−０．１ｍｍの範囲の任意の値でよい。
【００４０】
裏地は典型的には、一般に接着剤不透質の材料から接着剤不透過性になるように製造される。裏地は弾性であっても非弾性であってもよいが、好ましくは弾性である。可撓性であるときは接着ストリップの分離がいっそう容易である。裏地は、有機ポリマー及びセルロース樹脂のような様々な材料から形成できる。隣接の接着ストリップを容易に分離できるようにシリコーンのような剥離コーティングを裏地の上面に形成してもよい。
【００４１】
接着剤は感圧型でも非感圧型でもよく、好ましくは、平均厚み約０．０００００５ｍｍ−約２ｍｍ、好ましくは約０．００００５ｍｍ−約０．５ｍｍ、より好ましくは約０．０００５ｍｍ−約０．２５ｍｍ、最適には約０．００５ｍｍ−約０．０５ｍｍの層である。
【００４２】
本発明に使用するための適当な感圧接着剤は塗布可能な接着剤である。多様な種類の塗布可能な感圧接着剤、例えば、溶媒塗布、ホットメルト塗布が可能な感圧接着剤、並びに、水なしで塗布可能なラテックスＰＳＡなどを使用できる。また、無溶媒の硬化可能な接着剤（しばしば１００％固体と呼ばれる）も使用できる。接着剤のもっと厚い被膜が望まれる場合には、接着剤を多層塗布するか、ホットメルト塗布するか、または、接着剤をｉｎ  ｓｉｔｕで光重合させるのが望ましい。感圧接着剤の特定例としては、イソオクチルアクリレート／アクリル酸コポリマーのようなアクリレート、粘着性が付与されたアクリレート、及び、米国特許第４，９４６，７４２号（Ｌａｎｄｉｎ）に開示されているような可塑剤含有アクリレート；熱硬化性ゴム、熱可塑性ゴム及びエラストマーのような天然または合成のゴム樹脂、例えば、ニトリルゴム（例えば、アクリロニトリル−ブタジエン）、スチレン−ブタジエン、スチレン−イソプレン、スチレン−ブタジエン−スチレン、スチレン−イソプレン−スチレン、及び、天然ゴム；シリコーン基材の接着剤、例えばポリシロキサン；ポリオレフィン；ポリエステル；ポリアミド；及びポリウレタンがある。
【００４３】
アクリル型の感圧接着剤が特に好ましい。粘着値の低い感圧接着剤が最も好ましい。これらの材料はＦｌｅｘｃｏｎ（Ｒ）という商標で市販されている。
【００４４】
非感圧接着剤の代表は多糖類である。その例は、デンプン、化学的に改質されたデンプン、天然または合成のガムである  デンプンは、トウモロコシデンプン及びジャガイモデンプンなどである。化学的に改質されたデンプンは、ヒドロキシアルキル化デンプン、アシル化デンプン、ヒドロキシプロピルセルロース、ヒドロキシプロピルメチルセルロース、エチルセルロース及びカルボキシメチルセルロース、などである。ガムは、アルギン酸塩、グアー、カラゲナン、寒天、カラヤ、ペクチン、アラビアガム、スクレロチウム、ゼラチン及びガムの組合せ、などである。
【００４５】
ストリップ対接着剤の相対的厚みは、１：２００−２００：１、好ましくは１：１０−１０：１、最適には２：１−１：２の範囲でよい。ストリップ対接着剤の相対重量比は１：２００−２００：１、好ましくは１：１０−１０：１、最適には２：１−１：２の範囲でよい。
【００４６】
本発明の化粧組成物は、老化防止有効物質または湿潤剤と共に配合できる。これらの物質は双方ともが老化の兆候に抵抗する作用をもつ。組成物は、クリーム、ローション、ペースト、スティック（例えば、棒紅）、または粉末の形態を有し得る。これらの化粧品は通常は担体を含むであろう。適当な担体は、水、皮膚緩和剤（エステル、炭化水素、シリコーン、ポリオール及びそれらの混合物）、乳化剤、増粘剤及びそれらの組合せである。最も頻用される担体は水中油型または油中水型などのエマルジョンであろう。担体の量は、化粧組成物の約１−約９９．９重量％の範囲でよい。
【００４７】
老化防止有効物質としては、レチノイド、セラミド、アルファまたはベータ−ヒドロキシカルボン酸、フラボノイド、ビタミン、日光遮断剤、抗酸化剤、保存剤及びそれらの混合物がある。
【００４８】
典型的なレチノイドとしては、レチノール、レチノイン酸及びレチノールエステルがある。レチノールエステルとしては、レチニルパルミテート、レチニルリノレエート、レチニルプロピオネート、レチニルアセテート及びレチニルサリチレートがある。
【００４９】
アルファ−ヒドロキシ酸としては、遊離酸、ラクトン及び塩の形態のグリコール酸、乳酸、クエン酸、グルコノラクトン、グルカロラクトン、酒石酸、リンゴ酸及びそれらの混合物がある。ベータ−ヒドロキシカルボン酸の代表例は、サリチル酸及びそのエステル（例えば、トリデシルサリチレート）、並びに、アンモニウム、アルカノールアンモニウム及びアルカリ金属塩のような塩である。
【００５０】
セラミドとしては、セラミド１、セラミド２、セラミド３、セラミド３ａ、セラミド３ｂ、セラミド４、セラミド５及びセラミド６、並びに、擬セラミド、フィトスフィンゴシン及びテトラアセチルフィトスフィンゴシンがある。
【００５１】
ビタミンは、アスコルビン酸並びにその水溶性及び水不溶性の誘導体を包含し得る。代表例は、アスコルビルテトライソパルミテート、アスコルビルリン酸マグネシウム及びアスコルビルグルコシドである。その他のビタミンとしては、ビタミンＢ３（ナイアシン、ナイアシンアミド及びバンテノール）、ビオチン、葉酸、トコフェロール及びそのエステル（例えば、トコフェロールイソパルミテート）、ビタミンＤ及びそれらの組合せがある。
【００５２】
抗酸化剤としては、ＢＨＴ（ブチル化ヒドロキシトルエン）、ＢＨＡ（ブチル化ヒドロキシアニソール）、ヒドロキノン、フェルラ酸及びそのエステル、緑茶エキス、リポ酸、Ｎ−アセチルシステイン、レスベラトロール（ｒｅｓｖｅｒａｔｒｏｌ）及びそれらの組合せがある。
【００５３】
老化防止有効物質の量は、化粧組成物の重量の、０．００００００１−３０重量％、好ましくは０．０００１−１５重量％、より好ましくは０．１−５重量％、最適には０．５−２重量％の範囲内の任意の値でよい。
【００５４】
処理実施例及び比較実施例を除いて、または、別の明白な指示がある場合を除いて、本明細書中の材料の量を示す全ての数値は“約”という語で修飾されることを理解されたい。
【００５５】
“から成る”という用語の意味は、その後に記述された要素に限定されることなく主要なまたは副次的な機能的重要性を有している不特定の要素を包含する。言い換えると、すべての段階、要素または任意選択要素を悉く網羅する必要はない。“含んでいる”または“有している”という用語が使用されているとき、これらの用語は常に、上記に定義の“から成る”に等価の意味を表す。
【００５６】
本文中及び特許請求の範囲に記載されたすべての部、パーセンテージ及び割合は、異なる指示がない限り重量基準の値である。
【図面の簡単な説明】
【００５７】
【図１】本発明の貼付ストリップの第一の実施態様である。
【図２】本発明の貼付ストリップの第二の実施態様である。
【図３】皮膚に貼付し、皮膚から剥離した後で、読み取りカードの暗色野に載せた図１の実施態様の貼付ストリップである。




【国際調査報告】
2004535859.tif 000029
2004535859.tif 000030
2004535859.tif 000031